(57)【要約】【課題】極めて簡易な構成によって、発香体からの発香を回転ファンの作動に伴って確実に行うとともに、回転ファンの停止に伴って発香体を自動的に被覆し発香を停止させる事ができる。【解決手段】発香体１を被覆し発香体１から外部への発香を遮断する被覆体７に、弾性変形可能な連結体１１を介して回転ファン８を連結する。そして、回転ファン８の作動に伴って連結体１１を捩って長軸方向に収縮し被覆体７を引き上げ、発香体１に対する被覆体７の被覆を解除する。また、回転ファン８の作動停止に伴い、連結体１１の捩れを復元して被覆体７を元位置に復元し、発香体１を被覆体７で被覆し、発香体１からの発香を遮断する【選択図】図１
2007326591.tif 000002
【特許請求の範囲】
【請求項１】
発香体を被覆し発香体から外部への発香を遮断する被覆体の上面に一定間隔を介して回転ファンを配置し、この回転ファンに、弾性変形可能な連結体を介して被覆体を連結し、回転ファンの作動に伴って連結体を捩って弾性変形することにより、連結体を長軸方向に収縮して被覆体を引き上げ、発香体に対する被覆体の被覆を解除し、外部への発香を開始可能とすると共に回転ファンの作動停止に伴い、連結体の弾性変形を自身の復元力で復元して被覆体を元位置に復元することにより、発香体を被覆体で被覆し、発香体からの発香を遮断することを特徴とする発香装置。
【請求項２】
回転ファンは、タイマーによる時間制御により自動的に作動又は作動停止することにより、発香の開始又は停止を可能としたことを特徴とする請求項１の発香装置。
【請求項３】
被覆体は、断面コ字型の有底筒状に形成し、発香体の外周を被覆可能としたことを特徴とする請求項１の発香装置。
【請求項４】
被覆体は、平板状に形成し発香体を収納した発香容器の上面を被覆可能としたことを特徴とする請求項１の発香装置。
【請求項５】
連結体は、ゴム紐により形成したことを特徴とする請求項１の発香装置。
【請求項６】
連結体は、木綿、化学繊維、紙の何れか又はこれらの組み合わせによって構成した紐により形成したことを特徴とする請求項１の発香装置。
【請求項７】
発香体、回転ファン及び被覆体は、外気と連通する発香口を設けたケーシング内に配置したことを特徴とする請求項１の発香装置。
【発明の詳細な説明】
【技術分野】
【０００１】
本発明は発香装置に係るものであって、回転ファンの作動に伴って発香可能とすると共に、回転ファンの停止時には自動的に発香部を被覆閉止し、外部への発香を停止することにより、発香部からの発香及び発香の停止を明確に行うことを可能にするものである。
【背景技術】
【０００２】
従来より、特許文献１に示す如く、発香体からの発香を回転ファンを用いて強制的に行ったり、回転ファンの停止に伴って発香を停止させる事を目的としたものが存在する。この従来装置は、発香時には確実な発香を可能とすると共に発香を停止する場合にも確実な発香遮断動作を可能にしようとするものである。
【特許文献１】特開２０００−２３３０１８号公報
【発明の開示】
【発明が解決しようとする課題】
【０００３】
しかしながら、特許文献１に記載の発香装置は、発香体からの発香を回転ファンを用いて強制的に行ったり、回転ファンの停止に伴って発香を停止させる事を目的としたものであるが、その構成が極めて複雑で製造コストを高いものとすると共に、複雑な構成のため作動の安定性に支障を生じる可能性が高く、確実な発香とこの発香の停止は困難なものである。
【０００４】
そこで本発明は、上述の如き課題を解決しようとするものであって、極めて簡易な構成によって、発香体からの発香を回転ファンを用いて確実に行うとともに、回転ファンの停止に伴って発香体を被覆し発香を停止させるようにし、廉価に製品を得ることが出来ると共に作動の安定性を得ることが出来るものである。
【課題を解決するための手段】
【０００５】
本発明は上述の課題を解決するため、発香体を被覆し発香体から外部への発香を遮断する被覆体の上面に一定間隔を介して回転ファンを配置し、この回転ファンに、弾性変形可能な連結体を介して被覆体を連結し、回転ファンの作動に伴って連結体を捩って弾性変形することにより、連結体を長軸方向に収縮して被覆体を引き上げ、発香体に対する被覆体の被覆を解除し、外部への発香を開始可能とすると共に回転ファンの作動停止に伴い、連結体の弾性変形を自身の復元力で復元して被覆体を元位置に復元することにより、発香体を被覆体で被覆し、発香体からの発香を遮断して成るものである。
【０００６】
また、回転ファンは、タイマーによる時間制御により自動的に作動又は作動停止することにより、発香の開始又は停止を可能としたものであっても良い。
【０００７】
また、被覆体は、断面コ字型の有底筒状に形成し、発香体の外周を被覆可能としたものであっても良い。
【０００８】
また、被覆体は、平板状に形成し発香体を収納した発香容器の上面を被覆可能としたものであっても良い。
【０００９】
また、連結体は、ゴム紐により形成したものであっても良い。
【００１０】
また、連結体は、木綿、化学繊維、紙の何れか又はこれらの組み合わせによって構成した紐により形成したものであっても良い。
【００１１】
また、発香体、回転ファン及び被覆体は、外気と連通する発香口を設けたケーシング内に配置したものであっても良い。
【発明の効果】
【００１２】
本発明は、上記の如く構成したものであるから、回転ファンを作動することにより、回転ファンと被覆体とを接続する弾性変形可能な連結体が捩られて弾性変形し、連結体を長軸方向に収縮して被覆体を引き上げるから、発香体は被覆体の被覆を解除され外部と連通する。この連通によって外部に発香すると共に、発香体に回転ファンによる風が当てられるため、良好な発香が可能となる。また、回転ファンの作動を停止すれば、連結体が弾性変形を自身の復元力と被覆体の重量とで復元して被覆体を元位置に復元することにより、発香体を被覆体で被覆し発香を停止させることが出来る。
【００１３】
このように本発明は、回転ファンと被覆体を弾性変形可能な連結体で連結するのみの簡単な構成により、回転ファンの作動で発香を行い、回転ファンの作動停止により自動的に発香体を被覆体で被覆し発香を停止することができる。そのため、簡易な構成の廉価な装置により確実な発香と発行停止を可能とすることが出来る。また、発香停止時には発香体を被覆体で被覆するものであるから、発香装置の不使用時に余分な発香をすることが無く、発香体の無駄のない長期間の使用を可能とすることができるものである。
【実施例１】
【００１４】
まず、本発明の実施例１を図面に於いて説明すれば、（１）は発香体で、天然香料、合成香料及びそれらを組み合わせた調合香料等の香料を用いることができる。また、この香料は水性ゲル、油性ゲル、ワックス類、マイクロカプセル、包接化合物、昇華性固体、高分子樹脂、成形物等の固形に形成したり、液体で使用したり、この液体香料を木材、紙、化学繊維に含浸させたり、液体香料を粉状、顆粒状、ビーズ状の固体粒子状物質に含浸させて使用することができる。また、この発香体(１)は上端を開放した発香容器(２)内に収納し、使用期間の完了により交換したり、新たな香料を補充したりすることが出来るように構成している。
【００１５】
また、発香体(１)は発香容器(２)と共に、外気と連通する発香口(３)(４)を上端及び下端に設けた筒状のケーシング(５)内の載置部(６)に配置している。このケーシング(５)内の載置部(６)への配置状態で、発香体(１)及び発香容器(２)の上面を、断面コ字型の有底筒状に形成した被覆体(７)により被覆し、発香体(１)から外部への発香を遮断している。また、この被覆体(７)は発香容器(２)を被覆した時に、発香体(１)からの外部への発香が遮断可能であれば、特に材質を限定するものではないが、ポリエチレン、ポリプロピレン、ジュラコン等の軽量で強度のある通気性のない樹脂材が好ましく、内部に被覆した発香体(１)の外部への発香を停止し、不必要な発香を防止している。
【００１６】
また、被覆体(７)の上面には一定間隔を介して回転ファン(８)を配置し、この回転ファン(８)をケーシング(５)の上部に配置している。この回転ファン(８)は家庭用電源、乾電池等で回転作動し、タイマーによる時間制御により自動的に作動又は作動停止することにより、発香の開始又は停止を可能としている。図１に示す実施例では、ケーシング(５)の下端に乾電池(９)の収納部(１０)を形成している。そして、ケーシング(５)には上端及び下端に外気と連通する発香口(３)(４)を開口している。また、このケーシング(５)内に収納した回転ファン(８)は、弾性変形可能な連結体(１１)を介して被覆体(７)を連結している。この弾性変形可能な連結体(１１)は、ゴム紐により形成しても良いし、天然繊維、化学繊維、紙等の素材の何れか又はこれらの組み合わせによって構成した紐により形成したものであっても良い。
【００１７】
上述の如く構成したものに於いて、回転ファン(８)の停止状態では図２に示す如く、断面コ字型の被覆体(７)の下端を載置部(６)に接触させて発香体(１)及び発香容器(２)を被覆し、発香体(１)は被覆体(７)と載置部(６)との間で、密閉又は密閉に近い状態となっているから、発香体(１)からの外部への発香は停止している。
【００１８】
次に、回転ファン(８)を回転作動すると、被覆体(７)が一定の重量を備えているため、回転ファン(８)の作動に伴ってゴム紐により形成した連結体(１１)が捩られて弾性変形するから、連結体(１１)は長軸方向に収縮して図３に示す如く被覆体(７)を引き上げる。この引き上げにより、発香体(１)に対する被覆体(７)の被覆を解除し、外部への発香が開始可能となる。そして、この発香は回転ファン(８)の作動によって生じる空気流によって行われるから、確実な発香を可能とする。また、上記の連結体(１１)は、ゴム紐により形成しているが、弾性変形と復元が可能なものであれば、木綿、化学繊維、紙の何れか又はこれらの組み合わせによって構成した紐により形成したものであっても良い。
【００１９】
また、回転ファン(８)は、タイマーによる時間制御により自動的に作動又は作動停止することにより、発香の開始又は停止を可能としたものである。例えば、就寝時間の前に回転ファン(８)を作動させ、好みの香りに包まれた就寝を可能とすると共に入眠後は回転ファン(８)を停止するようにするとともに、起床時間前に回転ファン(８)を作動させ、起床時に好みの香りを感知できるようにタイマーによる時間制御をセットすることも可能となる。勿論、タイマーによる時間制御を行わず、手動操作により任意時間の発香をすることも可能である。
【００２０】
また、回転ファン(８)による送風方向は任意の方向とすることができる。例えば図１に於いて発香体(１)方向に送風し、ケーシング(５)の上部の発香口(３)から吸気し下部の発香口(４)から排気することにより発香させても良いし、上部方向に送風し、ケーシング(５)の下部の発香口(４)から吸気し上部の発香口(３)から排気することにより発香させても良いものである。
【００２１】
また、上記の実施例に於いては、被覆体(７)を断面コ字型の有底筒状に形成しているが、必ずしもこの形態に限定されるものではなく、被覆体(７)は発香体(１)の発香を遮断できるものであれば良い。異なる実施例では図４に示す如く、被覆体(７)を平板状に形成し、発香体(１)を収納した発香容器(２)の上面を被覆可能なものとしている。この被覆体(７)を平板状に形成する方法は、被覆体(７)の構成を簡易で廉価なものとするが、発香体(１)や発香容器(２)が傾斜していたり、これらの開口部に凹凸がある場合には密閉性に劣るものとなる。
【００２２】
また、上記の実施例に於いては、回転ファン(８)、被覆体(７)、発香体(１)、発香容器(２)等をケーシング(５)内に収納しているが、このケーシング(５)は必ずしも必須のものではなく、図２乃至図３に示す如く、回転ファン(８)、被覆体(７)、発香体(１)、発香容器(２)等の位置関係が特定できる構成であれば良い。例えば適宜の枠組みにより、回転ファン(８)、被覆体(７)、発香体(１)、発香容器(２)等の位置関係を特定できるものとしても良いものである。
【図面の簡単な説明】
【００２３】
【図１】本発明の１実施例を示す断面図。
【図２】回転ファン、被覆体、発香体の位置関係を示す概略図で発香遮断状態を示している。
【図３】回転ファン、被覆体、発香体の位置関係を示す概略図で発香状態を示している。
【図４】被覆体の異なる実施例を示す概略図。
【符号の説明】
【００２４】
１  発香体
３  発香口
４  発香口
５  ケーシング
７  被覆体
８  回転ファン
１１  連結体
【図１】
2007326591.tif 000003
【図２】
2007326591.tif 000004
【図３】
2007326591.tif 000005
【図４】
2007326591.tif 000006